(57)【特許請求の範囲】
【請求項１】
前方にハンドルを、後方にキャスターを備えた台枠の内部に、電動機、取り出し収納自在のフットスイッチおよび電源プラグを収容し、台枠の側枠間にリールを受止すると共に、回転させる前部ローラーと後部ローラーを設け、且つ側枠に一端部を軸支して起伏自在となしたガイド枠を設け、そのガイド枠の略中間部にベアリング受けを設けてリールシャフトのベアリングとを係脱させ、前記ハンドルを持ち上げた時に回転する枢軸およびその枢軸とアームを介して一体となり、枢軸が回転した場合に前記リールを前記台枠の上方に押し上げる可動軸を設け、電動機により前部ローラーおよび後部ローラーの少なくともいずれかのローラーを駆動させてワイヤロープを巻き取るように構成してなる移動式電動巻取機。
【請求項２】
ガイド枠には、ガイドローラー、トラバース、屈曲ピンを備えた左右に移動する短筒体が設けられていると共に、そのガイド枠を支持する固定アームが軸着されており、前記屈曲ピンと嵌合するスライドハンドルを左右にガイドしながら前記リールに巻き付ける請求項１に記載の移動式電動巻取機。
【請求項３】
リールは、一方のフランジが巻胴と一体で、他方のフランジが着脱自在になっており、その巻胴は着脱自在のフランジに向かって細くなるテーパ状に形成されていると共に、巻胴の周面複数箇所に長溝が刻設されており、両フランジにはその長溝と一致する位置に長孔が穿設され、かつ、着脱自在のフランジにワイヤロープ端出し孔およびワイヤロープ端末止め具を設けてある請求項１または２に記載の移動式電動巻取機。
【請求項４】
両端に傾斜面を有すると共に中央部が凹部に形成されたリール受け台を設け、前記可動軸にて前記リールが押し上げられて前記台枠から出た場合にリールをリール受け台に載せる請求項１乃至３のいずれか１項に記載の移動式電動巻取機。
【発明の詳細な説明】
【０００１】
【発明の属する技術分野】
本発明は、主としてエレベータなどに使用されているワイヤロープが永き使用によって寿命を終えたワイヤロープを回収する作業に用いる移動式電動巻取機に関するものである。
【０００２】
【従来の技術】
従来、エレベータの設置現場において、既設のエレベータに取り付けられている寿命を終えたワイヤロープを、新しいワイヤロープに交換する場合には、古い寿命を終えたワイヤロープを回転式スイフトに巻き取るか、木枠に巻き取って回収していた。特に、ワイヤロープが長い場合には、木枠に巻き取らざるをえなかった。
【０００３】
【発明が解決しようとする課題】
しかしながら、回転式スイフトで巻き取る場合、ロープを水平に置くため、広い作業スペースを必要とするばかりでなく、ロープが長くなると巻崩れが生じ、回転スイフトからはみ出ることがあった。
【０００４】
また、木枠の場合は、木枠を載せる架台を必要とするばかりでなく、巻き取ったワイヤロープは、その後、金属であるワイヤロープと木材である木枠に分別して廃棄しなければならないため、工場で再度巻き直ししなければならず、作業工程が増えて作業効率も悪かった。
【０００５】
さらに、回転式スイフトおよび木枠のいずれの場合にも、作業員が手動で巻き取るため、連続して早く整然と巻き取ることができず、ワイヤロープの回収に長い時間を要し作業性も悪かった。
【０００６】
本発明は、上記の問題を解決することを課題として開発されたもので、どこへでも容易に移動でき、台枠に備えている電動機により受けローラーを駆動させ、リールを回転させて寿命を終えたワイヤロープを速やかに巻き取ることができると共に、その巻き取りを整然とでき、巻き取った後、ワイヤロープを結束してリールを分解し、ワイヤロープのみ回収できる分別廃棄に有効な移動式電動巻取機を提供することを目的とするものである。
【０００７】
【課題を解決するための手段】
上記の課題を解決し、その目的を達成する手段として、本発明は、  前方にハンドルを、後方にキャスターを備えた台枠の内部に、電動機、取り出し収納自在のフットスイッチおよび電源プラグを収容し、台枠の側枠間にリールを受止すると共に、回転させる前部ローラーと後部ローラーを設け、且つ側枠に一端部を軸支して起伏自在となしたガイド枠を設け、そのガイド枠の略中間部にベアリング受けを設けてリールシャフトのベアリングとを係脱させ、前記ハンドルを持ち上げた時に回転する枢軸およびその枢軸とアームを介して一体となり、枢軸が回転した場合に前記リールを前記台枠の上方に押し上げる可動軸を設け、電動機により前部ローラーおよび後部ローラーの少なくともいずれかのローラーを駆動させてワイヤロープを巻き取るように構成してなる移動式電動巻取機を開発し、採用した。
【０００８】
また、本発明では、上記のように構成した移動式電動巻取機において、ガイド枠には、ガイドローラー、トラバース、屈曲ピンを備えた左右に移動する短筒体が設けられていると共に、そのガイド枠を支持する固定アームが軸着されており、前記屈曲ピンと嵌合するスライドハンドルを左右にガイドしながら前記リールに巻き付ける移動式電動巻取機、およびリールは、一方のフランジが巻胴と一体で、他方のフランジが着脱自在になっており、その巻胴は着脱自在のフランジに向かって細くなるテーパ状に形成されていると共に、巻胴の周面複数箇所に長溝が刻設されており、両フランジにはその長溝と一致する位置に長孔が穿設され、かつ、着脱自在のフランジにワイヤロープ端出し孔およびワイヤロープ端末止め具を設けてある移動式電動巻取機、および両端に傾斜面を有すると共に中央部が凹部に形成されたリール受け台を設け、前記可動軸にて前記リールが押し上げられて前記台枠から出た場合にリールをリール受け台に載せる移動式電動巻取機を開発し、採用した。
【０００９】
【発明の実施の形態】
以下に、本発明の実施の形態を添付図面に基づいて説明すれば、１は平面から見て矩形状に形成した台枠で、コ字状のハンドル２の側杆２ａ，２ａの端部を台枠１の両側枠１ａ，１ａに軸着して前方に突出してある。このハンドル２は、移動時に引っ張たり、押したりする時のハンドルになるだけでなく、後述のリール２５を台枠１から取り出す際の跳ね上げハンドルも兼ねるようになっている。
【００１０】
３は台枠１の後面板１ｂの両側端に固着したキャスター、４、５は台枠１の両側枠１ａ，１ａ間に適宜間隔を存した状態で回転自在に支承してある前部ローラーと後部ローラーである。
【００１１】
６は台枠１の後部収容室で、その後部収容室６内には電動機７、フットスイッチ８および電源プラグ９が内在されており、電動機７は固定されているが、フットスイッチ８、電源プラグ９は使用時に蓋体を開けて外部に取り出し、使用後には収納できるようになっている。
【００１２】
後部収容室６の上面板には、先端部を上方に屈曲した板体１０が蝶着されており、その板体１０を後側に反転すると、図３、４に示すように、先端部が床面に接してスロープ板１１となって、リールを台枠１内に導入するのに便利になっている。
【００１３】
１２はリール２５を挟持すると共に、巻き付けるワイヤロープＲを案内するガイド枠で、その側杆１２ａ，１２ａの端部を側枠１ａ，１ａに軸支してあり、その側杆１２ａ，１２ａのやや下方部にフック金具１３，１３、略中間部に凹部のベアリング受け１４，１４、上方部寄りに突片１５，１５を設けてあり、その突片１５，１５に側杆１２ａ，１２ａを支持する固定アーム１６，１６の一端部１６ａ，１６ａを枢着してある。固定アーム１６，１６の他端には尾錠１７，１７を付設してありフック金具１３，１３と係脱自在に係合している。
【００１４】
また、側杆１２ａ，１２ａ間には、巻き取るワイヤロープＲを案内するガイドローラー１８、その下方にある軸１９、その軸１９に嵌挿した左右に移動する短筒体２０、その短筒体２０の一側部に取り付けた腕片２１に固着した螺旋状のトラバース２２、および短筒体２０の正面に固着した上方に曲がる屈曲ピン２３が設けられている。そして、その屈曲ピン２３と嵌合するスライドハンドル２４が別に用意されている。
【００１５】
２５は図６，７に示すようなワイヤロープＲを巻き取る合成樹脂製のリールで、このリール２５は、一側に向って細くなるテーパ状の巻胴２６と、その巻胴２６と一体的に接合されている一方のフランジ２７と、他方の着脱自在フランジ２８とで構成されており、着脱自在フランジ２８は蝶ボルト２９の締緩によって着脱自在になっている。
【００１６】
また、巻胴２６の外周面には、所定の間隔で３箇所に長溝２６ａ，２６ａ，２６ａが長さ方向の全長にわたって刻設してある。この溝２６ａ，２６ａ，２６ａと合致する両フランジ２７，２８の位置に縦長の長孔２７ａ，２７ａ，２７ａ、２８ａ，２８ａ，２８ａが穿設されていると共に、着脱自在フランジ２８に横長のロープ端出し孔３０が開口されており、さらにその側方にロープ端末止め具３１を取り付けてある。
【００１７】
３２は巻胴２６の中心孔に挿通するリールシャフトで、その両端部にベアリング３３、３３を設けてあり、そのベアリング３３、３３が前述のガイド枠１２のベアリング受け１４で挟持されるようになっている。
【００１８】
このように構成した移動式電動巻取機の使用状態を作用、効果と共に説明すれば、ハンドル２を手に持って斜めに上げると、台枠１の下面が床面から離れ、傾斜状態となってキャスター３、３が床面に接地し、ハンドル２を引っ張たり、或いは押していけば簡単に移動でき、容易に設置現場まで移動できる。
【００１９】
設置現場に着くとハンドル２側を昇降路の方に向けて置く。そして、後部収容室６内にあるフットスイッチ８と電源コード９を外部に取り出す。その後、台枠１の後部収容室６の上面板に重合している板体１０を後方に反転させてスロープ板１１とする。台枠１と床面との間にスロープ板１１が掛け渡されたことにより、リール２５をスロープ板１１の下から押し上げていけばスロープ板１１上を回転しながらせり上がり容易に台枠１内の後部ローラー５と前部ローラー４に載せることができる。
【００２０】
リール２５が後部ローラー５と前部ローラー４に載ると、ガイド枠１２の一端部を持ち
、リール２５の上方まで持ち上げておき、リール２５の中心孔に、図８に示すようなリールシャフト３２を挿通する。そして、ガイド枠１２，１２の固定アーム１６，１６に設けた尾錠１７，１７とガイド枠１２，１２に設けたフック金具１３，１３との係合を解き、ガイド枠１２，１２と重合していた固定アーム１６，１６を外側に開く。
【００２１】
つぎに、ガイド枠１２，１２を下ろして、その背部に設けてある凹部のベアリング受け１４，１４によりリールシャフト３２の端部のベアリング３３，３３を挟持する。また、ガイド枠１２，１２の固定アーム１６，１６の先端部を、アーム先端受け部３４，３４に入れて、尾錠１７，１７を側枠１ａ，１ａに取り付けたフック金具３５，３５と係合し固定することにより、ガイド枠１２を固定支持してリール２５を確実に支持し、スムーズに回転させると共に、台枠１から飛び出ることを防止する。
【００２２】
そして、ワイヤロープＲの先端をトラバース２２に通し、ワイヤロープＲをガイドローラー１８に当接して着脱自在フランジ２８に設けたロープ端出し孔３０より外側に取り出し、その先端をロープ端末止め金具３１に嵌めることによりワイヤロープＲを容易に止めることができる。
【００２３】
つぎに、電源プラグ９をコンセントに差し込んだ後、図９に明示したスライドハンドル２４の先端ピン孔２４ａを屈曲ピン２３に嵌める。この時、ピン２３が屈曲しているので、嵌めやすくなり、嵌めると外れにくく正確にトラバースでき、また、電動機７の電源は、商用電源（１００Ｖ）を用いるのでどこでも使用できる。
【００２４】
そして、足でフットスイッチ８を踏むと電動機７が駆動し、その回転軸と前部ローラー４の回転軸に固着したスプロケット３６、３６間に掛け渡したチェーン３７によって前部ローラー４、後部ローラー５が回転し、その前後部ローラー４、５に載っているリール２５が回転してワイヤロープＲを巻き付けていく。
【００２５】
その時に、軸１９に嵌挿してある左右移動自在の短筒体２０に取り付けた屈曲ピン２３にスライドハンドル２４のピン孔２４ａが嵌めてあるので、スライドハンドル２４を左右方向にガイドしながらリール２５の巻胴２６に巻き付けるのでワイヤロープＲを整然と巻き取ることができる。
【００２６】
ワイヤロープＲを巻き終わったら、ガイド枠１２，１２を支持している固定アーム１６，１６の尾錠１７，１７とフック金具３５，３５の係合を解き、ガイド枠１２，１２を持ち上げてベアリング受け１４，１４とリールシャフト３２のベアリング３３，３３との係合を解いて、リールシャフト３２を抜き、ガイド枠１２を元の台枠１に伏した状態にする。
【００２７】
つぎに、台枠１に固定されているハンドル２の固定を解く。すなわち、図１０に示すように、台枠１の前面板１ｃの両端に固着された横Ｌ字状突片３８，３８のピン孔３９，３９とハンドル２の側杆２ａ，２のピン孔４０，４０に挿通している固定ピン４１，４１を外してフリーの状態にする。
【００２８】
そして、ハンドル２を持ち上げると、図１２に示すように、枢軸４２が回転し、その枢軸４２の両側でアーム４３，４３を介して一体となった可動軸４４，４４が上方に向かって回転し、フランジ２７、２８の下部を押し上げてリール２５を台枠１から出し、図１３に示すような両端が傾斜面４５ａ，４５ａで中央部が凹部４５ｂに形成されたリール受け台４５に載せる。
【００２９】
リール受け台４５に載置されたリール２５は、図１４に示すように、バンド線４６を、一方のフランジ２７の長孔２７ａから巻胴２６の長溝２６ａに通して、他方のフランジ２８の長孔２８ａに出し、折り返して一方のフランジ２７の長孔２７ａに通してワイヤロープＲを結束する。
【００３０】
そして、他方のフランジ２８に取り付けてある蝶ボルト２９を緩めて外し、最後に巻胴２６と一体となったフランジ２７を抜き取る。この時、リール２５はリール受け台４５に載って床面より浮き上がっており、かつ、着脱自在フランジ２８に向って巻胴２６が細くなっているので簡単に抜くことができる。その後、ワイヤロープＲを押すことにより傾斜面４５aを下りてリール受け台４５より下ろす。
【００３１】
【発明の効果】
以上のように、本発明の請求項１の発明によれば、台枠にハンドルとキャスターが取り付けられているので、設置現場まで引っ張たり、押したりして容易に移動でき、特に設置現場まで遠距離であっても楽に移動が可能になる。また、台枠内に収容されている電動機によりワイヤロープを巻き付けるので、労力を要することなく、簡単に速やかにしかも安全に巻回でき作業能率が格段に向上する。さらに、フットスイッチおよび電源プラグは不使用時には台枠内に収容されているので傷めることがない。また、ガイド枠は略中間部に設けたベアリング受けでリールシャフトのベアリングと係合しているから、リールを強固に挟持して確実にスムーズに回転させると共に、台枠から外れて飛び出ることがなくなる。さらに、ハンドルを持ち上げた時に回転する枢軸およびその枢軸とアームを介して一体となり、枢軸が回転した場合に前記リールを前記台枠の上方に押し上げる可動軸により、リールを台枠から容易に取り出すことができる。また、ガイド枠は起伏自在であるから、伏せた状態にしておけば保管時などにおいて場所を取ることがない等の利点がある。
【００３２】
また、本発明の請求項２の発明によれば、請求項１の効果に加えて、屈曲ピンと嵌合するスライドハンドルでワイヤロープを左右方向にガイドしながら移動するので巻き付け状態を乱すことなく、整然と巻き付けることができる。
【００３３】
さらに、本発明の請求項３の発明によれば、請求項１、２の効果に加えて、リールに巻回したワイヤロープを容易に取り外すことができる。また、巻胴に巻回されたワイヤロープのみバンド線で結束でき、分別廃棄するのに便利になる。
【００３４】
また、本発明の請求項４の発明によれば、請求項１、２、３の効果に加えて、可動軸にてリールが押し上げられて台枠から出て両端に傾斜面を有すると共に中央部が凹部に形成されたリール受け台に載るからバンド線での結束が簡単にできると共に、フランジの抜き取りが容易にできる。
【図面の簡単な説明】
【図1】  本発明の移動式電動巻取機の平面図である。
【図２】  本発明の移動式電動巻取機の側面図である。
【図3】  リールを載せた状態の側面図である。
【図4】  リールを固定した状態の側面図である。
【図５】  リールを固定した状態の簡略正面図である。
【図６】  リールの側面図である。
【図７】  リールの正面図である。
【図8】    リールシャフトの平面図である。
【図９】  スライドハンドルの平面図である。
【図１０】  ハンドルの固定ピンを外した状態の簡略斜視図である。
【図１１】  通常時のリールの載置状態を示す説明図である。
【図１２】  リールを台枠から取り出す状態を示す説明図である。
【図１３】  リール受け台の斜視図である。
【図１４】    リールをリール受け台に載置しバンド線を通した状態の簡略断面図である。
【図１５】  受け台に載せてリールを分解した状態の簡略斜視図である。
【符号の説明】
１      台枠
１ａ    側枠
２      ハンドル
３      キャスター
４      前部ローラー
５      後部ローラー
７      電動機
８      フットスイッチ
９      電源プラグ
１２    ガイド枠
１６    固定アーム
１８    ガイドローラー
２０    短筒体
２２    トラバース
２３    屈曲ピン
２５    リール
２６    巻胴
２６ａ  長溝
２７    フランジ
２７ａ  長孔
２８    着脱自在フランジ
２８ａ  長孔
３０    ワイヤロープ端出し孔
３１    ワイヤロープ端末止め具
【図１】
0003737692.tif 000002
【図２】
0003737692.tif 000003
【図３】
0003737692.tif 000004
【図４】
0003737692.tif 000005
【図５】
0003737692.tif 000006
【図６】
0003737692.tif 000007
【図７】
0003737692.tif 000008
【図８】
0003737692.tif 000009
【図９】
0003737692.tif 000010
【図１０】
0003737692.tif 000011
【図１１】
0003737692.tif 000012
【図１２】
0003737692.tif 000013
【図１３】
0003737692.tif 000014
【図１４】
0003737692.tif 000015
【図１５】
0003737692.tif 000016